(57)【特許請求の範囲】
【請求項１】
ガイドフレームに沿って走行し、一定方向に搬送される板ガラスに切線を入れるカッタと、経過時間とカッタ速度とを対応づけたカッタ走行速度制御パターンに基づいて前記カッタの走行速度を制御する制御装置と、を備えるガラス切機に用いられるカッタの走行制御方法であって、
時間ｔ後の前記カッタの見かけ上の走行速度が、前記カッタ速度制御パターン中の経過時間ｔに対応するカッタ速度よりも遅い場合には、切線のうねりを吸収するように、前記カッタ速度制御パターン中の経過時間ｔに対応するカッタ速度をプラス補正するステップと、
時間ｔ後の前記カッタの見かけ上の走行速度が、前記カッタ速度制御パターン中の経過時間ｔに対応するカッタ速度よりも速い場合には、切線のうねりを吸収するように、前記カッタ速度制御パターン中の経過時間ｔに対応するカッタ速度をマイナス補正するステップと、
を含むことを特徴とするカッタの走行制御方法。
【請求項２】
板ガラスの厚みが０．１〜５ｍｍである請求項１に記載のカッタの走行制御方法。
【請求項３】
板ガラスの厚みが０．１〜０．７ｍｍである請求項１に記載のカッタの走行制御方法。
【請求項４】
搬送速度が０．１〜０．５ｍ／ｓである請求項１、２または３に記載のカッタの走行制御方法。
【請求項５】
板ガラスの幅が１５００ｍｍ〜６０００ｍｍである請求項１、２、３または４に記載のカッタの走行制御方法。
【請求項６】
カッタの走行速度が０．２〜２ｍ／ｓである請求項１、２、３、４または５に記載のカッタの走行制御方法。
【請求項７】
リニアサーボモータによって前記カッタを走行させる請求項１、２、３、４、５または６に記載のカッタの走行制御方法。
【請求項８】
請求項１〜７のいずれか１項に記載のカッタの走行制御方法における前記切線の位置で、板ガラスの切断を行う板ガラスの切断方法。
【請求項９】
板ガラスがフラットパネルディスプレイ用のマザーガラス基板であり、前記切線による切断の部位が、前記マザーガラス基板の端部の位置となる請求項８に記載の板ガラスの切断方法。
【請求項１０】
前記切線に基づく第１の切断に対して、ほぼ直交する方向における第２の切断処理を行い、板ガラスを矩形状のマザーガラス基板に形成する請求項９に記載の板ガラスの切断方法。
【請求項１１】
板ガラスの第１の切断と第２の切断の端面について、面取り加工を行う請求項８、９または１０に記載の板ガラスの切断方法。
【請求項１２】
面取り加工によってマザーガラス基板のサイズを決定する請求項１１に記載の板ガラスの切断方法。
【発明の詳細な説明】
【技術分野】
【０００１】
本発明は、板ガラスに切線を施すためのカッタの走行制御方法および板ガラスの切断方法に関する。
【背景技術】
【０００２】
従来、一定方向に搬送される板ガラスの表面にノンストップで切線を入れる方法が知られている（図１３、図１４参照）。これらの図に示すように、板ガラス１３２（搬送速度：ｖ）の搬送方向に直交する方向に対して、搬送方向下流側に角度θ傾いた姿勢で配置されたガイドフレーム１１２に沿ってホイールカッタ等のカッタ１１４を走行速度：ｗ＝ｖ／ｃｏｓθで走行させる。その結果、板ガラス１３２の表面に搬送方向に対して略垂直な切線を入れることができる（例えば特許文献１参照）。
【先行技術文献】
【特許文献】
【０００３】
【特許文献１】特開平８−２３１２３９号公報
【発明の概要】
【発明が解決しようとする課題】
【０００４】
しかしながら、ガイドフレーム１１２は各種原因により、設計値通りの理想直線ではなくうねった形状を持つことがあるため（図８参照）、カッタ１１４がガイドフレーム１１２に沿って走行すると、そのうねりに起因して、板ガラス１３２の表面にうねり成分を含む切線が入ってしまう（図７（ｂ）参照）、という問題がある。
【０００５】
本発明は、このような事情に鑑みてなされたものであり、仮にガイドフレームが理想直線ではなく、うねった形状であったとしても、そのうねりの影響を受けずに、又はほとんど受けずに、板ガラスの表面に搬送方向に対して略垂直な切線を入れることが可能となる、カッタの走行制御方法を提供することを目的とする。
【課題を解決するための手段】
【０００６】
即ち、請求項１に記載の発明は、前記目的を達成するため、ガイドフレームに沿って走行し、一定方向に搬送される板ガラス（横方向に切断される前の連続的な板状物の状態ではガラスリボンとも呼ばれる。）に切線を入れるカッタと、経過時間とカッタ速度とを対応づけたカッタ走行速度制御パターンに基づいて前記カッタの走行速度を制御する制御装置と、を備えるガラス切機におけるカッタの走行制御方法であって、時間ｔ後の前記カッタの見かけ上の走行速度が、前記カッタ速度制御パターン中の経過時間ｔに対応するカッタ速度よりも遅い場合には、切線のうねりを吸収するように、前記カッタ速度制御パターン中の経過時間ｔに対応するカッタ速度をプラス補正するステップと、時間ｔ後の前記カッタの見かけ上の走行速度が、前記カッタ速度制御パターン中の経過時間ｔに対応するカッタ速度よりも速い場合には、切線のうねりを吸収するように、前記カッタ速度制御パターン中の経過時間ｔに対応するカッタ速度をマイナス補正するステップと、を含むことを特徴とするカッタの走行制御方法を提供する。
【０００７】
請求項２に記載の発明は、板ガラスの厚みが０．１〜５ｍｍである請求項１に記載のカッタの走行制御方法を提供する。
【０００８】
請求項３に記載の発明は、板ガラスの厚みが０．１〜０．７ｍｍである請求項１に記載のカッタの走行制御方法を提供する。
【０００９】
請求項４に記載の発明は、搬送速度が０．１〜０．５ｍ／ｓである請求項１、２または３に記載のカッタの走行制御方法を提供する。
【００１０】
請求項５に記載の発明は、板ガラスの幅が１５００ｍｍ〜６０００ｍｍである請求項１、２、３または４に記載のカッタの走行制御方法を提供する。
【００１１】
請求項６に記載の発明は、カッタの走行速度が０．２〜２ｍ／ｓである請求項１、２、３、４または５に記載のカッタの走行制御方法を提供する。
【００１２】
請求項７に記載の発明は、リニアサーボモータによって前記カッタを走行させる請求項１、２、３、４、５または６に記載のカッタの走行制御方法を提供する。
【００１３】
請求項８に記載の発明は、請求項１〜７のいずれか１項に記載のカッタの走行制御方法における前記切線の位置で、板ガラスの切断を行う板ガラスの切断方法を提供する。
【００１４】
請求項９に記載の発明は、板ガラスがフラットパネルディスプレイ用のマザーガラス基板であり、前記切線による切断の部位が、前記マザーガラス基板の端部の位置となる請求項８に記載の板ガラスの切断方法を提供する。
【００１５】
請求項１０に記載の発明は、前記切線に基づく第１の切断に対して、ほぼ直交する方向における第２の切断処理を行い、板ガラスを矩形状のマザーガラス基板に形成する請求項９に記載の板ガラスの切断方法を提供する。
【００１６】
請求項１１に記載の発明は、板ガラスの第１の切断と第２の切断の端面について、面取り加工を行う請求項８、９または１０に記載の板ガラスの切断方法を提供する。
【００１７】
請求項１２に記載の発明は、面取り加工によってマザーガラス基板のサイズを決定する請求項１１に記載の板ガラスの切断方法を提供する。
【００１８】
本発明においては、カッタの走行をガイドするガイドフレームが理想直線ではなくうねった形状であったとしても、または、カッタの走行が理想直線にならない場合であっても、その走行の非直線性を相殺することができるようにし、板ガラスの表面に搬送方向に対して略垂直な切線を入れることを可能とさせるものである。
【００１９】
そして、その切線の位置で第１の切断の処理を行い、さらに、第１の切断の方向と直交する方向（ガラスリボンの搬送方向）において第２の切断の処理を行い、端部の面取りおよび外形形状の寸法出しを行い、最終的には良好な矩形形状の板ガラスを短い切断工程によって加工形成するものである。
【００２０】
また、請求項１に記載の発明によれば、カッタ走行速度制御パターンは、従来技術において発生し得る切線のうねりを吸収するように、カッタ速度制御パターン中の経過時間ｔに対応するカッタ速度がプラス補正又はマイナス補正される。このため、仮にガイドフレームが理想直線ではなく、うねった形状であったとしても、前記補正されたカッタ走行速度制御パターンを用いることで、そのうねりの影響を受けずに、又はほとんど受けずに板ガラスの表面に搬送方向に対して略垂直な切線を入れることが可能となる。
【発明の効果】
【００２１】
以上説明したように、本発明によれば、仮にガイドフレームが理想直線ではなくうねった形状であったとしても、そのうねりの影響を受けずに、又はほとんど受けずに板ガラスの表面に搬送方向に対して略垂直な切線を入れることが可能となるカッタの走行制御方法を提供することができる。
【図面の簡単な説明】
【００２２】
【図１】本発明の一実施形態である補正方法によるカッタ走行速度制御パターンＰ２を用いるガラス切機１０のシステム構成図。
【図２】一般的なガラス板の製造工程の説明図。
【図３】補正後のカッタ走行速度制御パターンＰ２（定速域）の例の説明図。
【図４】始点と終点の間をｎ分割した理想直線上の指令位置の説明図。
【図５】カッタ走行速度制御パターンＰ１の例を示す説明図。
【図６】（ａ）板ガラス３０の搬送速度ＶＬが、一定速度となるように制御されていることの説明図、（ｂ）板ガラス３０の搬送速度ＶＬが、温度変化等の外乱により変動することがあることの説明図。
【図７】（ａ）ガイドフレーム１２が理想直線である場合の切線Ｃの例の説明図、（ｂ）ガイドフレーム１２がうねっている場合の切線Ｃの例の説明図。
【図８】ガイドフレーム１２のうねりの例の説明図。
【図９】カッタ走行速度制御パターンＰ１を補正する原理の説明図。
【図１０】カッタ走行速度制御パターンＰ１の補正処理を説明するためのフローチャート。
【図１１】カッタ走行速度制御パターンＰ１の補正処理の説明図。
【図１２】本発明によって、ガラスリボンから切り出したマザーガラス基板の模式的平面図。
【図１３】従来のガラス切機の説明図。
【図１４】従来のガラス切機の説明図。
【発明を実施するための形態】
【００２３】
以下、図面を参照しながら本発明に係るカッタ走行速度制御パターンの補正方法の好ましい実施の形態を詳説する。
【００２４】
図１は、ガラス切機１０のシステム構成図であり、図２は、一般的な板ガラスの切断工程の説明図である。本発明は、建材用、車両用などの板ガラスに適用できる。本発明は、高い寸法精度や形状精度が求められる電子デバイス用ガラス基板の製造に適している。特に、フラットパネルディスプレイ用のマザーガラス基板の製造の際に適用することが好ましい。
【００２５】
フラットパネルディスプレイには、液晶ディスプレイ（ＬＣＤ）、有機エレクトロルミネッセンスデバイス（有機ＥＬデバイス）、プラズマディスプレイ（ＰＤ）、あるいは太陽電池用ガラス基板の製造に適用できる。
【００２６】
特に、薄膜トランジスタ（ＴＦＴ）やカラーフィルタ（ＣＦ）の形成工程において、基板自体の外形形状、外形寸法、矩形の四隅における直角度、端面の仕上げなどが重要な技術要素となるＦＰＤ用ガラス基板の製造に適用することが特に好ましい。図１２にガラスリボンに対して、横切りの切線ＣＬＷとガラス基板の流れ方向に沿った縦切の切線ＣＬＨの関係を示す模式的平面図である。
【００２７】
本発明は、高精度の機械的寸法精度が求められるガラス基板であっても、それらの寸法精度等を飛躍的に向上させることができる。
【００２８】
[ガラス切機１０の概要]
図２に示すように、一般に、所定の厚みに製造されたガラスリボンの表面に切線（割断線や切断線とも称される）を入れる工程、切線が入ったガラスリボンに対して曲げモーメントを加え、切線に沿って折割りしてガラス板を形成する工程、割折り後のガラス板に対して面取り加工を施す面取り工程、面取り後のガラス板に対して洗浄・乾燥を行う洗浄工程、洗浄後のガラス板の外形形状等を検査する検査工程を経て、出荷可能な最終製品としてのガラス板が製造される。
【００２９】
本実施形態のガラス切機１０は、所定の厚みに製造された板ガラスの表面に切線を入れるための装置であり、図１に示すように、搬送ライン上の切断セクション３２に設置されている。所定厚みに製造された板ガラス３０（例えば、厚み：０．１〜５ｍｍ、又は、０．１〜０．７ｍｍ、幅：１５００〜６０００ｍｍ）は、公知の搬送手段により搬送ライン上を搬送され（例えば、搬送速度：０．１〜０．５ｍ／ｓ）、切断セクション３２を通過する。ガラス切機１０は、本実施形態の補正方法により補正されたカッタ走行速度制御パターンＰ２（図３参照）に従ってカッタ１４の走行速度ＶＭ（例えば、走行速度：０．２〜２ｍ／ｓ）を制御することで、切断セクション３２を通過する板ガラス３０の表面にノンストップで搬送方向に対して略垂直な切線を入れる。
【００３０】
[ガラス切機１０の構成]
図１に示すように、ガラス切機１０は、ガイドフレーム１２、カッタ１４、サーボモータ１６、制御装置１８、速度検出器２０等を備えている。
【００３１】
ガイドフレーム１２は、カッタ１４の走行をガイドするためのガイド部材であり、板ガラス３２（搬送速度：ＶＬ）の搬送方向に直交する方向に対して搬送方向下流側に角度θ傾いた姿勢で配置されている。
【００３２】
カッタ１４は、ガイドフレーム１２に沿って走行して、切断セクション３２を通過する板ガラス３２の表面に切線を入れるための部材であり、例えば、ガイドフレーム１２に沿って走行するカッタホイールである。
【００３３】
サーボモータ１６は、制御装置１８から入力される位置指令、例えば、所定周波数のパルス列に従って回転制御される公知のサーボモータである。サーボモータ１６は、公知の駆動機構（図示せず）を介してカッタ１４に連結されており、制御装置１８からの位置指令に従って回転し、その回転運動を公知の駆動機構を介して直線運動に変換し、カッタ１４を走行させる。
【００３４】
サーボモータ１６は、リニアサーボモータであることが好ましい。サーボモータ１６がリニアサーボモータであれば、カッタ１４は、制御装置１８からの位置指令に高速度で応答できるとともに、高精度に走行させることができる。
【００３５】
制御装置１８は、ＭＰＵやＣＰＵ等の演算・制御手段、ＲＡＭやＲＯＭ等の記憶手段（いずれも図示せず）等を備えている。制御装置１８は、演算・制御手段が記憶手段に読み込まれた所定プログラムを実行することで、カッタ１４を制御する制御手段として機能する。すなわち、制御装置１８は、カッタ１４が始点と終点の間をｎ分割した理想直線上の指令位置（図４参照）に位置するように、カッタ走行速度制御パターンＰ１（図５参照）又は本実施形態の補正方法により補正されたカッタ走行速度制御パターンＰ２（図３参照）に基づいて、サーボモータ１６に位置指令を供給する。制御装置１８から位置指令を受けたサーボモータ１６は、位置指令に従って回転制御される。これにより、カッタ１４は、カッタ走行速度制御パターンＰ１（図５参照）又は本実施形態の補正方法により補正されたカッタ走行速度制御パターンＰ２（図３参照）に従った速度でガイドフレーム１２に沿って走行し、切断セクション３２を通過する板ガラス３０の表面に搬送方向に対して略垂直な切線を入れる。なお、板ガラス３０がフラットパネルディスプレイ用のマザーガラス板である場合には、切線による切断の部位が、マザーガラス基板の端部の位置であるのが好ましい。
【００３６】
板ガラス３０の搬送速度ＶＬは、一定速度となるように制御されている（図６（ａ）参照）が、温度変化等の外乱により変動することがある（図６（ｂ）参照）。板ガラス３０の搬送速度ＶＬが変動すると、その変動に起因して、板ガラス３０の表面にうねり成分を含む切線Ｃが入ってしまう、という問題がある（図７（ｂ）参照）。
【００３７】
本実施形態では、板ガラス３０の搬送速度ＶＬが変動したとしても、その変動の影響を受けずに、又はほとんど受けずに板ガラス３０の表面に搬送方向に対して略垂直な切線を入れるために、板ガラス３０の搬送速度ＶＬを検出するための速度検出器２０を設けている（図１参照）。
【００３８】
制御装置１８は、所定のタイミングで速度検出器２０から切断セクション３２を通過する板ガラス３０の搬送速度ＶＬを読み込む。そして、制御装置１８は、その読み込んだ搬送速度ＶＬに変動があった場合には、その都度その変動を吸収するための補正速度を算出し、カッタ１４がカッタ走行速度制御パターンＰ１（図５参照）に従った速度に対して、その算出した補正速度を加算または減算することによって、リアルタイムに速度が調整されながら板ガラス３０に対して走行するように、サーボモータ１６を制御する。
【００３９】
これにより、切断セクション３２を通過する板ガラス３０の搬送速度ＶＬが変動したとしても、その変動の影響を受けずに、又はほとんど受けずに、板ガラス３０の表面に搬送方向に対して略垂直な切線を入れることが可能となる。
【００４０】
[カッタ走行速度制御パターンＰ１]
カッタ走行速度制御パターンＰ１（図５参照。以下動作パターン、移動量（指令位置）パターンとも称する）は、板ガラス３０の搬送速度ＶＬが一定であるとの前提の下、板ガラス３０の表面に搬送方向に対して略垂直な切線が入るように、経過時間ｔとカッタ１４の走行速度ＶＭ（以下カッタ速度ＶＭと称す）とを対応づけたもの（又は経過時間ｔとｎ分割した理想直線上の指令位置（図４参照）とを対応付けたもの）である。
【００４１】
したがって、カッタ１４がカッタ走行速度制御パターンＰ１（図４参照）に従った速度ＶＭで走行すれば、板ガラス３０の搬送速度ＶＬが一定である限り、板ガラス３０の表面に搬送方向に対して略垂直な切線Ｃが入るはずである（図７（ａ）参照）。
【００４２】
しかし、図８に示すように、ガイドフレーム１２は各種要因により理想直線ではなく、うねった形状であるため、カッタ１４がガイドフレーム１２に沿って走行すると、そのうねりに起因して、板ガラス３０の表面にうねり成分を含む切線Ｃが入ってしまう（図７（ｂ）参照）、という問題がある。なお、図７（ｂ）、図８では、説明のためうねりを誇張して描いている。
【００４３】
本実施形態では、ガイドフレーム１２のうねりの影響を受けずに、又はほとんど受けずに、板ガラス３０の表面に搬送方向に対して略垂直な切線を入れるために、カッタ走行速度制御パターンＰ１（図５参照）を、以下の方法で補正している。
【００４４】
[カッタ走行速度制御パターンＰ１を補正する原理]
図９に示すように、ガイドフレーム１２が理想直線ではなく、下流側にうねった形状であるとすると、カッタ１４が時間ｔＡ経過後に理想直線上の地点Ａに到達すべきところ、実走行線上の地点Ａ′に到達し、これに起因して、板ガラス３０の表面にうねり成分を含む切線Ｃが入ってしまう（図７（ｂ）参照）。
【００４５】
これは、ガイドフレーム１２のうねり（理想直線よりも下流側のうねり）に起因して、時間ｔＡ経過後のカッタ１４の見かけ上の走行速度が、カッタ走行速度制御パターンＰ１中の時間ｔＡに対応するカッタ速度ＶＭよりも遅くなったためである。
【００４６】
このカッタ１４の見かけ上の走行速度が変動することに起因するうねりを吸収するため、時間ｔＡ経過後にカッタ１４が地点Ａ′′に到達するように、カッタ走行速度制御パターンＰ１中の経過時間ｔＡに対応するカッタ速度ＶＭをプラス補正する（図３参照）。
【００４７】
同様に、図９に示すように、ガイドフレーム１２が理想直線ではなく、上流側にうねった形状であるとすると、カッタ１４が時間ｔＣ経過後に理想直線上の地点Ｃに到達すべきところ、実走行線上の地点Ｃ′に到達し、これに起因して、板ガラス３０の表面にうねり成分を含む切線Ｃが入ってしまう（図７（ｂ）参照）。
【００４８】
これは、ガイドフレーム１２のうねり（理想直線よりも上流側のうねり）に起因して、時間ｔＣ経過後のカッタ１４の見かけ上の走行速度が、カッタ走行速度制御パターンＰ１中の時間ｔＣに対応するカッタ速度ＶＭよりも速くなったためである。
【００４９】
このカッタ１４の見かけ上の走行速度が変動することに起因するうねりを吸収するため、時間ｔＣ経過後にカッタ１４が地点Ｃ′′に到達するように、カッタ走行速度制御パターンＰ１中の経過時間ｔＣに対応するカッタ速度ＶＭをマイナス補正する（図３参照）。
【００５０】
以上のように時間ｔＡ、ｔＣに対応するカッタ速度ＶＭをプラス又はマイナス補正されたカッタ走行速度制御パターンＰ２（図３参照）を用いることで、うねったガイドフレーム１２に基づくカッタ１４の非直線性が相殺されるため、ガイドフレーム１２のうねりの影響を受けずに、又はほとんど受けずに、板ガラス３０の表面に搬送方向に対して略垂直な切線を入れることが可能となる。
【００５１】
[カッタ走行速度制御パターンＰ１の補正処理]
図１０は、カッタ速度制御パターンＰ１を補正する具体的処理を説明するためのフローチャートである。以下の処理は、制御装置１８が、記憶手段に読み込まれた所定プログラムを実行することにより実現される。
【００５２】
まず、図１１に示すガイドフレーム１２のうねりＣ１（実ガラス切断線。規則性がある）を測定する（ステップＳ１）。測定方法としては、ガイドフレーム１２のうねりＣ１を直接測定する方法の他、間接的に測定する方法が考えられる。
【００５３】
間接的な測定方法としては、例えば、搬送ライン両側にそれぞれ位置検出センサを配置し、この位置検出センサを用いて、ガラス切機１０で入れた切線に沿って割折りしたガラス板の切断縁通過位置の変動量を測定し、その測定結果に基づいて算出する方法が考えられる。
【００５４】
あるいは、予めガラス切機１０で入れた切線に沿って割折りしたガラス板の切断縁に対し撮像装置を移動させて（又は撮像装置に対しガラス切機１０で入れた切線に沿って割折りしたガラス板の切断縁を移動させて）切断縁全体を撮像し、その撮像された画像に基づいて、ガイドフレーム１２のうねりＣ１を算出する方法も考えられる。この場合には、例えば、切断縁とともに基準直線（直線に張られたピアノ線等）を含む撮像し、基準直線から切断縁までの距離を所定画像処理により算出することでより正確に測定することが可能である。
【００５５】
次に、ステップＳ１で測定したうねりＣ１を反転した補正切断線Ｃ２（図１１参照）を演算する（ステップＳ２）。
【００５６】
次に、ステップＳ２で演算した補正切断線Ｃ２を下流側にＣＯＳθ振った曲線Ｃ３（図１１参照）を演算する（ステップＳ３）。
【００５７】
次に、地点Ａ−地点Ａ′の差違からフレーム設計値より地点Ａ′′を通る動作パターンを算出し、予めカッタ速度制御パターンＰ１上の地点Ａ′′′を通るようにプロットする（図１１、図３参照）。これにより、移動量（指令位置）パターンを演算する（ステップＳ４）。
【００５８】
このステップＳ４の処理を地点Ａだけでなく、地点Ｂ、地点Ｃについても実行することで、補正されたカッタ速度制御パターンＰ２（図３参照）を生成することが可能となる。
【００５９】
制御装置１８は、この補正されたカッタ速度制御パターンＰ２に基づいて、サーボモータ１６に位置指令を供給する（ステップＳ５）。制御装置１８から位置指令を受けたサーボモータ１６は、位置指令に従って回転制御される。これにより、カッタ１４は、補正されたカッタ走行速度制御パターンＰ２に従った速度でガイドフレーム１２に沿って走行し、切断セクション３２を通過する板ガラス３０の表面に搬送方向に対して略垂直な切線を入れる。
【００６０】
以上のように、補正されたカッタ走行速度制御パターンＰ２（図３参照）を用いることで、うねったガイドフレーム１２に基づくカッタ１４の非直線性が相殺されるため、ガイドフレーム１２のうねりの影響を受けずに、又はほとんど受けずに、板ガラス３０の表面に搬送方向に対して略垂直な切線を入れることが可能となる。
【００６１】
切線が入った板ガラス３０は曲げモーメントの作用により当該切線に沿って折割りされ、折り割り後のガラス板に対しては面取り加工が施され、面取り後のガラス板に対しては洗浄・乾燥が実施され、洗浄後のガラス板に対しては外形形状等の検査が実施され、出荷可能な最終製品としてのガラス板が製造される。
【００６２】
上記のようにガイドフレーム１２のうねりの影響を受けずに、又はほとんど受けずに、板ガラス３０の表面に搬送方向に対して略垂直な切線を入れることが可能となるため、次工程である面取り工程における面取り負担を軽減することが可能となる。そして、これらの切線の位置で板ガラス３０を切断することによって、外形寸法、外形形状の優れたガラス基板を製造することができる。
【００６３】
なお、板ガラス３０がフラットパネルディスプレイ用のマザーガラス板である場合には、図１２に示すように、横切りの切線ＣＬＷに基づく第１の切断に対して、ほぼ直交する方向に延びる縦切の切線ＣＬＨを入れる第２の切断処理を行い、板ガラス３０を矩形状のマザーガラス基板に形成するのが好ましい。この場合には、第１の切断と第２の切断の端面について、面取り加工を行うのが好ましい。以上の面取り加工によってマザーガラス基板のサイズを決定することが可能となる。
【００６４】
以上説明したように、本実施形態によれば、カッタ１４の走行をガイドするガイドフレーム１２が理想直線ではなくうねった形状であったとしても、または、カッタ１４の走行が理想直線にならない場合であっても、その走行の非直線性を相殺することができるようにし、板ガラス３０の表面に搬送方向に対して略垂直な切線を入れることが可能となる。そして、その切線（例えば図１２に示す横切りの切線ＣＬＷ）の位置で第１の切断の処理を行い、さらに、第１の切断の方向と直交する方向（ガラスリボンの搬送方向。例えば図１２に示す縦切の切線ＣＬＨ）において第２の切断の処理を行い、端部の面取りおよび外形形状の寸法出しを行い、最終的には良好な矩形形状の板ガラスを短い切断工程によって加工形成することが可能となる。
【００６５】
また、本実施形態によれば、カッタ走行速度制御パターンＰ１は、従来技術において発生し得る切線のうねりを吸収するように、カッタ速度制御パターンＰ１中の経過時間ｔに対応するカッタ速度がプラス補正又はマイナス補正される。このため、仮にガイドフレーム１２が理想直線ではなく、うねった形状であったとしても、補正されたカッタ走行速度制御パターンＰ２を用いることで、うねったガイドフレーム１２に基づくカッタ１４の非直線性が相殺されるため、そのうねりの影響を受けずに、又はほとんど受けずに板ガラス３０の表面に搬送方向に対して略垂直な切線を入れることが可能となる。
【００６６】
次に、変形例について説明する。
【００６７】
上記実施形態では、切線を入れる対象が板ガラスである例について説明したが、本発明はこれに限定されない。例えば、木板、金属板、樹脂板等の板状の物品の切断加工に対しても同様に適用することが可能である。
【００６８】
上記実施形態はあらゆる点で単なる例示にすぎない。これらの記載によって本発明は限定的に解釈されるものではない。本発明はその精神または主要な特徴から逸脱することなく他の様々な形で実施することができる。
【符号の説明】
【００６９】
１０…ガラス切機、１２…ガイドフレーム、１４…カッタ、１６…サーボモータ、１８…制御装置、２０…速度検出器、３０…板ガラス、３２…切断セクション
【図１】
0005387915.tif 000002
【図２】
0005387915.tif 000003
【図３】
0005387915.tif 000004
【図４】
0005387915.tif 000005
【図５】
0005387915.tif 000006
【図６】
0005387915.tif 000007
【図７】
0005387915.tif 000008
【図８】
0005387915.tif 000009
【図９】
0005387915.tif 000010
【図１０】
0005387915.tif 000011
【図１１】
0005387915.tif 000012
【図１２】
0005387915.tif 000013
【図１３】
0005387915.tif 000014
【図１４】
0005387915.tif 000015